(57)【要約】【課題】  １回のみ記録許可されるコンテンツを記録したハードディスクが再生不能となった場合であっても記録したコンテンツを再生可能とする記録再生装置を実現する。【解決手段】  メインハードディスク１７の記録再生状態を監視する監視部１９４と、監視部１９４でメインハードディスク１７の記録情報を読み出せないと判断された場合にのみ、補助ハードディスク３７に記録されている暗号化記録情報を解読する解読部１９と、解読部で解読されて元に戻された記録情報を再生する再生部１６とを用いて記録再生装置を実現した。【選択図】      図１
2006147049.tif 000002
【特許請求の範囲】
【請求項１】
１回記録用の放送番組を受信して、主な記録媒体とするメインハードディスクに記録情報として記録すると共に、前記放送番組の暗号化を行って補助ハードディスクに暗号化記録情報として記録を行い、前記メインハードディスクに記録されている前記記録情報が読み出せなくなった場合にのみ前記補助ハードディスクに記録されている前記暗号化記録情報を再生する記録再生装置において、
前記メインハードディスクの記録再生状態を監視する監視部と、
前記監視部で前記メインハードディスクの記録情報を読み出せないと判断された場合に、前記補助ハードディスクに記録されている前記暗号化記録情報を解読する解読部と、
前記解読部で解読されて元に戻された記録情報を再生する再生部と、
を有することを特徴とする記録再生装置。
【発明の詳細な説明】
【技術分野】
【０００１】
本発明は、コピー制御信号と共に受信される放送番組を記録するに際し、コピーワンス制限のある番組に対して実質的に１つの媒体に記録再生する記録再生装置に関する。
【背景技術】
【０００２】
最近になり、ランダムアクセス可能で、大容量の記録媒体を有する内蔵ＨＤＤ（Hard Disk Drive）を記録媒体とするビデオ信号記録再生装置や、内蔵ＨＤＤの外に記録可能なＤＶＤ（Digital versatile Disc）、或いは内蔵ＨＤＤとＶＨＳ方式カセットテープ等の記録媒体とを組み合わせたコンビネーション記録再生装置が普及してきている。
その内蔵ＨＤＤにはＰＣ（Personal Computer）の記録装置として広く使用されてきたものが用いられており、高品質な記録媒体としての製品化は可能である一方、ヘッドクラッシュなどの原因で突然の故障が発生する場合もある。受信される放送番組を記録再生する装置においても、ＨＤＤは突然故障する可能性が他の機能ブロックに比して高く、記録したコンテンツを保護するためにもバックアップ記録を併用する必要がある。
【０００３】
特許文献１には、使用者がハードディスクなどに記録した番組記録再生装置をサービスステーションなどで修理する際に、内蔵されるハードディスクの記録内容を容易にバックアップするデジタル放送記録再生装置が開示されている。即ち、番組記録再生装置の修理の前に、サービスステーションではハードディスクの記録内容をＤ−ＶＨＳなどの記録機器に、番組記録再生装置を特定する識別情報と共に記録する。その記録は再生されるハードディスクの記録内容を暗号化して記録する。その記録の後にハードディスクの記録内容を消去する。番組記録再生装置に対する修理等の終了後Ｄ−ＶＨＳに記録したコンテンツをハードディスクに記録する。その記録後、Ｄ−ＶＨＳの記録内容を消去する。以上により、仮に番組記録再生装置の修理作業中にハードディスクを故障させるようなことがあっても１回のみ記録の許可されたコンテンツを記録したハードディスクの記録内容は保護される。
【特許文献１】特開２００３−２７４３２８号公報
【発明の開示】
【発明が解決しようとする課題】
【０００４】
しかしながら、特許文献１に開示されている番組記録再生装置に対するバックアップ方法では、ハードディスクが正常に機能している場合にのみ有効であり、ヘッドクラッシュなどが生じ、再生不能になった後には記録されたコンテンツを再現することは出来ない。
【０００５】
そこで、本発明は、上記のような問題点を解消するためになされたもので、１回のみ記録許可されるコンテンツを記録したハードディスクが再生不能となった場合であっても記録したコンテンツを再生可能とする記録再生装置を提供することを目的とする。
【課題を解決するための手段】
【０００６】
本願発明は、１回記録用の放送番組を受信して、主な記録媒体とするメインハードディスクに記録情報として記録すると共に、前記放送番組の暗号化を行って補助ハードディスクに暗号化記録情報として記録を行い、前記メインハードディスクに記録されている前記記録情報が読み出せなくなった場合にのみ前記補助ハードディスクに記録されている前記暗号化記録情報を再生する記録再生装置において、前記メインハードディスクの記録再生状態を監視する監視部と、前記監視部で前記メインハードディスクの記録情報を読み出せないと判断された場合に、前記補助ハードディスクに記録されている前記暗号化記録情報を解読する解読部と、前記解読部で解読されて元に戻された記録情報を再生する再生部と、を有することを特徴とする記録再生装置を提供する。
【発明の効果】
【０００７】
本発明によれば、メインハードディスクの記録再生状態を監視する監視部と、前記監視部で前記メインハードディスクの記録情報を読み出せないと判断された場合に、補助ハードディスクに記録されている暗号化記録情報を解読する解読部と、前記解読部で解読されて元に戻された記録情報を再生する再生部と、を有する格別な構成があるので、１回のみ記録許可されるコンテンツを記録したハードディスクが再生不能となった場合であっても記録したコンテンツを再生可能とする記録再生装置を実現できる。
【発明を実施するための最良の形態】
【０００８】
以下に本発明に係る記録再生装置について図１〜図５を用いて説明する。
図１は、本発明の実施に係る記録再生装置の構成例を示したブロック図である。
図２は、本発明の実施に係る記録再生装置の要部の構成例を示した図である。
図３は、電子番組表の表示例を示した図である。
図４は、本発明の実施に係る使用者への提示画面例を示した図である。
図５は、本発明の実施に係るコンテンツリストの記述例を示した図である。
【０００９】
その記録再生装置は、１回のみ記録許可されるコンテンツを記録したハードディスクが再生不能となった場合であっても記録したコンテンツを再生可能とする記録再生装置を実現するという目的を、メインハードディスクの記録再生状態を監視する監視部と、監視部でメインハードディスクの記録情報を読み出せないと判断された場合に、補助ハードディスクに記録されている暗号化記録情報を解読する解読部と、前記解読部で解読されて元に戻された記録情報を再生する再生部と、を有するようにして実現した。
【００１０】
記録再生装置の構成について述べる。
図１に示す記録再生装置は、制御部１１、ＲＯＭ（Read Only Memory）１２、ＲＡＭ（Random Access Memory）１３、操作部１４、ＴＶチューナ１５、信号処理部１６、ハードディスク１７、メディアドライバ１８、暗号化処理部１９、及びディジタルインタフェース（デジタルＩ／Ｆ）２１より構成される。記録再生装置には、制御部３１、ＲＯＭ３２、ＲＡＭ３３、ディジタルインタフェース３４、及びハードディスク３７より構成される外付けハードディスク３が接続される。ＴＶチューナ１５にはアンテナ８が接続される。信号処理部１６からは映像信号と音声信号が出力される。メディアドライバ１８にはＤＶＤ（Digital versatile Disc）４が挿入される。
図２に示す暗号化処理部１９は、暗号化処理器１９１、暗号化テーブル１９２、テスト信号生成器１９３、故障検出器１９４、解読処理器１９５により構成される。記録再生装置１のディジタルインタフェース２１と外付けハードディスク３のディジタルインタフェース３４はケーブル５で接続される。
【００１１】
記録再生装置の動作について述べる。
記録再生装置１により、アンテナ８を介し、ＴＶチューナ１５で受信して得られたディジタル受信信号から電子番組表情報が得られる。得られた電子番組表の情報は映像信号に変換されて出力され、図示しないＴＶモニタに表示される。使用者により録画予約された番組は、予約された時刻にＴＶチューナ１５により受信して得られる映像信号及び音声信号はハードディスク１７に記録される。記録された番組は操作部１４が操作されて再生され、圧縮符号化されて送信された番組は信号処理部１６で復号化される。復号化して得られた映像信号及び音声信号はＴＶモニタに入力されて表示され、使用者により視聴される。
【００１２】
ここで、使用者により操作部１４が操作されて番組予約がなされるときには、制御部１１により電子番組表に記述される情報のコピー制御情報が読み出される。コピー制御情報には、その番組は録画が禁止され視聴のみが許可されるか、１度だけ記録が許可されるか、又は複数回の記録が許可されるかの情報が記述されている。コピー制御情報を使用者に提示し、許可される範囲での録画予約がなされる。制御部１１により、録画が禁止される場合は視聴予約のみが実行可能とした動作がなされる。複数回の記録が許可される場合は操作に応じて、例えばハードディスク１７及びＤＶＤ４への同時記録を実行させる。
【００１３】
１度だけ記録が許可される受信番組の録画予約について述べる。
制御部１１は、予約される番組をハードディスク１７又はＤＶＤ４のいずれか一方により記録するかを記述した予約画面を使用者に提示する。選択された方の記録媒体にのみ記録可能とする。但し、ハードディスク１７を記録媒体として指定した場合にのみ、ハードディスク１７が故障した場合に再生可能な、バックアップ記録を選択できる。通常はバックアップ記録した媒体を再生することは許可されない。
【００１４】
バックアップ記録が選択された場合に、制御部１１からはディジタルインタフェース２１、ケーブル５、及び外付けハードディスク３のディジタルインタフェース３４が介され、制御部３１にバックアップの記録動作を指示する。
次に、ＴＶチューナ１５で受信して得られた、例えばＴＳ（Transport Stream）信号はハードディスク１７に記録されると共に、そのＴＳ信号は暗号化処理部１９で暗号化されて暗号化ＴＳ信号が生成される。暗号化ＴＳ信号はディジタルインタフェース２１、ケーブル５、及びディジタルインタフェース３４が介されてハードディスク３７に入力され、そこにも記録される。暗号化されて記録された暗号化ＴＳ信号は暗号化処理部１９のみにより解読可能とされる。従って、記録された暗号化ＴＳ信号は他の記録再生装置に供給されて再生されることはない。
【００１５】
暗号化ＴＳ信号は、ハードディスク１７が、例えばヘッドクラッシュをしたとして検出された場合に再生可能とされる。操作部１４が操作され、ハードディスク１７の再生動作が指示されたにも拘らず再生信号が得られない場合には、制御部１１によりハードディスク１７の動作状態が検出される。その検出は、予めハードディスク１７に記述されている機械番号などの機器識別情報が読み出される。内蔵されていたと異なる機器識別情報が読み出された場合や、ハードディスク１７が取り外されており機器識別情報が読み出されない場合にはバックアップ信号の再生動作は行われない。
【００１６】
ハードディスク１７の故障が検出された場合には、制御部１１から制御部３１に対してハードディスク３７の該当する記録の暗号化ＴＳ信号の再生が指示される。ハードディスク３７により再生された暗号化ＴＳ信号は暗号化処理部１９に入力される。暗号化処理部１９では暗号化ＴＳ信号の暗号化は解かれる。解いて得られたＴＳ信号は信号処理部１６により復号化され、復号化して得られた映像信号及び音声信号はＴＶモニタにより表示される。
【００１７】
ＲＯＭ１２には、暗号化ＴＳ信号の生成、記録制御、及び再生制御に係る処理プログラムが蓄えられており、そのプログラムにより制御部１１に格納される図示しないＣＰＵにより制御動作が実行される。ＲＯＭ３２に蓄積されるプログラムにより制御部３１に格納されるＣＰＵが実行される。ＲＡＭ１３にはハードディスク１７に記録されるＴＳデータの管理に係る情報が記憶される。ＲＡＭ３３にはハードディスク３７に記録される暗号化ＴＳデータの管理に係る情報が記憶される。
【００１８】
次に、詳細に説明する。
図２を参照して暗号化処理部１９について述べる。
まず、暗号化テーブル１９２にはＴＳ信号の暗号化及び暗号化ＴＳ信号の解読に用いる暗号化鍵が格納される。バックアップ記録が指定された場合に、暗号化処理器１９１では、ＴＶチューナ１５から出力されるＴＳ信号は暗号化テーブル１９２に格納される暗号化鍵が用いられて暗号化ＴＳ信号が生成される。生成された暗号化ＴＳ信号はディジタルインタフェース２１を介してハードディスク３７に記録される。
【００１９】
ハードディスク１７の故障検出について述べる。
制御部１１により正規のハードディスクが内蔵されているとして検出されたにも拘らず、ハードディスク１７による再生動作が行われない場合には、テスト信号生成器１９３によりテスト信号が生成される。テスト信号はハードディスク１７の空き領域に記録及び読み出しが試みられる。ヘッドクラッシュなどにより書き込み及び読み出しがなされない場合、及び読み出されたテスト信号に誤りデータが多く含まれる場合には故障検出器１９４によりハードディスク１７は故障しているとして検出される。その故障検出により、解読処理器１９５による暗号化ＴＳ信号の解読動作が開始される。ハードディスク３７に記録された暗号化ＴＳ信号は暗号化テーブル１９２に格納される暗号化鍵が用いられて解読され、解読して得られたＴＳ信号は信号処理部１６に入力され、圧縮符号化信号は復号化される。
【００２０】
図３及び図４を参照して録画予約について述べる。
ＴＶチューナ１５より得られる電子番組表情報を基に図３に示す番組表が使用者に提示される。使用者により操作部１４が操作されて、例えば放送者Ｂのうた番組が指定される。制御部１１によりうた番組のコピー制御情報が取得される。その結果図４の画面が作成されて提示される。そのうた番組は１度だけ記録の許可される、いわゆるコピーワンスの番組である。使用者は、その視聴の視聴予約、ハードディスク１７への記録、又はＤＶＤ４への記録のいずれか１つを指定できる。ハードディスク１７への記録を指定した場合には、ハードディスク１７が故障したときのバックアップ記録を行うか否かを指定できる。ＤＶＤ４を指定した場合にはバックアップ記録を指定できない。
【００２１】
図５を参照して記録コンテンツリストについて述べる。
記録コンテンツリストには予約時刻に係る日付、曜日、予約時刻、放送者名、番組名、及びその番組のコピー制御情報と、操作により指定された保存先がハードディスクであるか又はＤＶＤであるか、ハードディスクである場合にはバックアップ記録を同時に行うか否かの情報が記述される。それらの情報はＲＡＭ１３に記憶される。
【００２２】
ここで、ハードディスク１７に記録されている番組が消去された場合に、ハードディスク３７にバックアップ記録されている番組を消去する場合と、記録したままにしておく場合とがある。ハードディスク３７の記録容量が不足してきた場合に、バックアップ記録されている記録コンテンツリストを使用者に提示して指定される番組を消去する方法、又は過去にバックアップ保存した番組から順に消去する方法などがある。
【００２３】
また、故障検出器１９４によりハードディスク１７の故障が検出された場合は、その検出結果を故障検出器１９４の図示しない記憶領域に保持し、ハードディスク１７が新たなハードディスクに交換された場合であっても、解読処理器１９５により、過去に記録された番組に係る暗号化ＴＳ信号を解読する。
【００２４】
以上のように、記録再生装置１によれば、１回のみ記録許可されるコンテンツを記録したハードディスクが再生不能となった場合であっても記録したコンテンツを再生可能とする記録再生装置を実現するという目的を、メインハードディスク１７の記録再生状態を監視する監視部１９４と、監視部１９４でメインハードディスク１７の記録情報を読み出せないと判断された場合にのみ、補助ハードディスク３７に記録されている暗号化記録情報を解読する解読部１９と、前記解読部で解読されて元に戻された記録情報を再生する再生部１６とを有した構成があるので、１回のみ記録許可されるコンテンツを記録したハードディスクが再生不能となった場合であっても記録したコンテンツを再生可能とする記録再生装置を実現できる。
【産業上の利用可能性】
【００２５】
コピーワンス制限のある番組に対してバックアップ機能を有し、実質的には１つの記録媒体しか再生しない番組記録再生装置に適用できる。
【図面の簡単な説明】
【００２６】
【図１】本発明の実施に係る記録再生装置の構成例を示したブロック図である。
【図２】本発明の実施に係る記録再生装置の要部の構成例を示した図である。
【図３】電子番組表の表示例を示した図である。
【図４】本発明の実施に係る使用者への提示画面例を示した図である。
【図５】本発明の実施に係るコンテンツリストの記述例を示した図である。
【符号の説明】
【００２７】
１    記録再生装置
３    外付けハードディスク
４    ＤＶＤ
５    ケーブル
８    アンテナ
１１    制御部
１２    ＲＯＭ
１３    ＲＡＭ
１４    操作部
１５    ＴＶチューナ
１６    信号処理部
１７    ハードディスク
１８    メディアドライバ
１９    暗号化処理部
２１    ディジタルインタフェース
３１    制御部
３２    ＲＯＭ
３３    ＲＡＭ
３４    ディジタルインタフェース
３７    ハードディスク
１９１    暗号化処理器
１９２    暗号化テーブル
１９３    テスト信号生成器
１９４    故障検出器
１９５    解読処理器
【図１】
2006147049.tif 000003
【図２】
2006147049.tif 000004
【図３】
2006147049.tif 000005
【図４】
2006147049.tif 000006
【図５】
2006147049.tif 000007